(57)【要約】【課題】防虫剤等の揮発性成分を含む内容物を包装袋に封入して構成され、衣類等の間に吊り下げて使用することができる包装体であって、これら内容物による衣類のダメージが生じることのない包装体を提供すること。【解決手段】包装袋の内部を、内容物を収容した収容室１２と、空気を密封したエアー室１１とに区画し、エアー室の厚み１ｄを収容室の厚み２ｄより大きくする。衣類等の間に吊り下げて使用した場合、収容室が衣類に直接接触することがないため、濃度の高い揮発性成分が衣類に接触したり、移行して衣類にダメージを与えることを防ぐことができる。【選択図】図１
2016150764.tif 000002
【特許請求の範囲】
【請求項１】
包装袋に揮発性成分を含む内容物を封入して構成される包装体において、
前記包装袋の内部が、内容物を収容した収容室と、空気を密封したエアー室とに区画されており、
前記エアー室の厚みが収容室の厚みより大きいことを特徴とする包装体。
【請求項２】
ハンガーの取り付け部位を有することを特徴とする請求項１に記載の包装体。
【発明の詳細な説明】
【技術分野】
【０００１】
本発明は揮発性成分を含む内容物を封入して構成される包装体に関する。このような内容物としては、例えば、衣類用防虫剤を例示できる。本発明の包装体は、これにハンガーを取り付けることにより、内容物を包装体から取り出すことなく、そのまま衣類の間に吊り下げて使用することができる。
【背景技術】
【０００２】
衣類の間に吊り下げて使用する防虫剤等の包装体は周知である。このような包装体においては、収容された防虫剤が徐々に揮発して、長期間に渡って衣類を保護する。
【０００３】
このような包装体としては、射出成形容器等のリジッドなプラスチック容器に防虫剤等を収容したものが一般的である。一方、このようなリジッドなプラスチック容器は高価であるため、安価な包装袋を使用したいという要請がある。特許文献１は、このような要請に応えたもので、包装袋に防虫剤等の内容物を収容して包装体とし、その上部にハンガーを取り付けて、衣類の間に吊り下げることができるように構成されている。
【先行技術文献】
【特許文献】
【０００４】
【特許文献１】実開昭６３−６５４４９号公報
【発明の概要】
【発明が解決しようとする課題】
【０００５】
ところで、このように包装袋に防虫剤等を収容して構成した包装体にあっては、この包装体を衣類の間に吊り下げると、包装体外面と衣類とが直接接触するため、濃度の高い揮発性成分が衣類に接触したり、移行したりして衣類等にダメージを与えることがあった。
【０００６】
そこで、本発明は、防虫剤等の揮発性成分を含む内容物を包装袋に封入して構成され、衣類等の間に吊り下げて使用することができる包装体であって、これら揮発性成分による衣類のダメージが生じることのない包装体を提供することを目的とする。
【課題を解決するための手段】
【０００７】
すなわち、請求項１に記載の発明は、包装袋に揮発性成分を含む内容物を封入して構成される包装体において、
前記包装袋の内部が、内容物を収容した収容室と、空気を密封したエアー室とに区画されており、
前記エアー室の厚みが収容室の厚みより大きいことを特徴とする包装体である。
【０００８】
次に、請求項２に記載の発明は、ハンガーの取り付け部位を有することを特徴とする請求項１に記載の包装体である。
【発明の効果】
【０００９】
本発明の包装体は、ハンガーを取り付けて、衣類の間に吊り下げて使用することができる。そして、この包装体ではエアー室の厚みが収容室の厚みより大きいため、収容室が衣類に直接接触することがない。このため、濃度の高い揮発性成分が衣類に接触したり、移行して衣類にダメージを与えることを防ぐことが可能である。
【図面の簡単な説明】
【００１０】
【図１】図１は本発明の包装体の具体例を示すもので、図１（ａ）は正面説明図、図１（ｂ）は縦断面の説明図である。
【図２】図２は本発明の包装体にハンガーを取り付けた状態を示すもので、図２（ａ）は正面説明図、図２（ｂ）は縦断面の説明図である。
【図３】図３は本発明の包装体にラベルを貼着した状態の縦断面説明図である。
【発明を実施するための形態】
【００１１】
以下、図面を参照しながら、本発明の具体例を説明する。
【００１２】
本発明は、包装袋の中に揮発性成分を含む内容物を封入して構成される包装体である。図１はこの包装体の例を示す説明図で、図１（ａ）は包装体の正面説明図、図１（ｂ）はその縦断面の説明図である。なお、説明の便宜のため、これらの図面では各部位の大きさを誇張して描いている。
【００１３】
これら図１（ａ）及び図１（ｂ）から分かるように、包装袋１は、２枚の可撓性フィルムを使用して、これら２枚の可撓性フィルムを互いに重ね合わせ、その周囲をヒートシールして構成されている。図１において、１ａ及び１ｂは天地のシール線を示し、１ｃ及び１ｄは左右のシール線を示している。また、この包装袋１には、内部を二分するシール線１ｅが設けられており、このシール線１ｅによって、収容室１２とエアー室１１とに区画されている。そして、この収容室１２には揮発性成分を含む前記内容物２が収容されており、エアー室１１には空気が密封されている。
【００１４】
包装袋１を構成する２枚の可撓性フィルムのうち、少なくとも一方は揮発した前記成分を透過する性質を有するフィルムで構成されており、前記揮発性成分は、時間の経過と共に徐々に揮発し、この包装袋１を透過して外部に放出される。このため、内容物として防虫剤を使用し、この防虫剤を封入した包装体を衣類等の間に吊り下げておくと、防虫剤が徐々に放出されて、長期間に渡って衣類等を保護することができる。
【００１５】
ところで、図１（ｂ）から分かるように、エアー室１１の厚み１ｄは収容室１２の厚み２ｄより大きくなるように構成されている。このため、この包装体を衣類等の間に吊り下げた場合にも、収容室１２の外面と衣類等との間に隙間ができ、これらの直接の接触を防止することができる。
【００１６】
次に、この例では、天部シール線１ａが幅広に構成されており、この天部シール線１ａを取り付け部位として、図２に示すように、ハンガー４を取り付けることができる。ハンガー４を取り付ける方法は任意であるが、例えば、ハンガー４を厚紙で構成し、ホチキッス等で留めればよい。また、下部が二股に分かれているプラスチック製ハンガー４を使用して、このハンガー４で天部シール線１ａを挟着して固定してもよい。プラスチック製ハンガーとしては、ポリエチレンテレフタレートやポリプロピレンから成る成形品を使用することができる。
【００１７】
次に、本発明の包装体には、図３に示すように、収容室１２の外面に、前記揮発性成分を透過しないラベル４を剥離容易に貼着することができる。こうしてラベル４を貼着することにより、この包装体を使用する前に揮発性成分が放出されるのを防止することができる。そして、その使用開始時にラベル４を剥離除去することにより、揮発性成分透過性の可撓性フィルムを通って揮発性成分が外部に放出される。
【００１８】
本発明に係る内容物４は、揮発性成分を含むものである。この有効成分の具体的材質が不明であってもよい。例えば、固形のナフタリンは、一般に、その全部が揮発性成分の防虫剤である。また、芳香剤を揮発性成分として樹脂等に添加して成形した成形物を内容物
４として収容してもよい。
【００１９】
次に、揮発性成分を透過する可撓性フィルムとしては、ポリオレフィンフィルムを好ましく使用することができる。ポリオレフィンフィルムとしては、例えば、ポリエチレンフィルム、ポリプロピレンフィルム等が例示できる。また、異種のポリオレフィン樹脂を積層して構成される積層フィルムであってもよい。
【００２０】
また、前述のとおり、２枚の可撓性フィルムのうち、一方のフィルムとして、揮発性成分を透過しない可撓性フィルムを使用することもできる。このような可撓性フィルムとしては、揮発性成分遮断性フィルムとシーラント層との積層体を使用することができる。揮発性成分遮断性フィルムとしては、例えば、ポリエチレンテレフタレートフィルム、ポリアミドフィルム、アルミニウム箔等の金属箔等を例示することができる。また、ポリエステルフィルムやポリアミドフィルム等のプラスチックフィルムを蒸着基材として、この蒸着基材に金属や無機物を蒸着して形成した蒸着フィルムを揮発性成分遮断性フィルムとして使用することも可能である。蒸着金属としてはアルミニウムを例示できる。また、蒸着する無機物としては、アルミナやシリカを挙げることができる。シーラント層としては周知の樹脂を使用することができ、例えば、低密度ポリエチレン、直鎖状低密度ポリエチレン、無延伸ポリプロピレン等を例示することができる。
【００２１】
次に、ラベル４は、揮発性成分遮断性フィルムをラベル基材とし、このラベル基材に粘着剤を塗布して構成したものを好適に使用することができる。粘着剤は、ベースポリマーに粘着付与剤を添加したものが使用できる。オレフィン系樹脂、アクリル系樹脂、ポリエステル系樹脂、熱可塑性エラストマー、合成ゴム等を例示できる。オレフィン系樹脂の具体例としてはエチレン−酢酸ビニル共重合体を挙げることができる。アクリル系樹脂の具体例としては、エチレン−メタクリル酸共重合体、エチレン−メタクリル酸エステル共重合体を例示できる。また、熱可塑性エラストマーとの代表例として、スチレン−イソプレン−スチレン−ブロック共重合体、スチレン−エチレン−ブチレン−スチレン−ブロック共重合体、スチレン−エチレン−プロピレン−スチレン−ブロック共重合体を挙げることができる。また、粘着付与剤としては、ロジン系樹脂、テルペン系樹脂、石油樹脂等を使用することができる。
【符号の説明】
【００２２】
１：包装袋    １１：エアー室    １２：収容室
１ａ：天部シール線    １ｂ：底部シール線    １ｃ：側部シール線    １ｄ：側部シール線    １ｅ：区画用シール線
２：内容物    ３：ハンガー    ４：ラベル
【図１】
2016150764.tif 000003
【図２】
2016150764.tif 000004
【図３】
2016150764.tif 000005